(57)【特許請求の範囲】
【請求項１】
殻付きのエビを、ポリリン酸塩を含むｐＨ４．０〜６．０の有機酸溶液中に浸漬し、水流攪拌により処理することを特徴とする殻付きエビの処理方法。
【請求項２】
有機酸がクエン酸である請求項１に記載の殻付きエビの処理方法。
【請求項３】
ポリリン酸塩溶液でさらに処理する請求項１又は２に記載の殻付きエビの処理方法。
【請求項４】
有機酸溶液により処理した後、ポリリン酸塩溶液で処理する請求項３に記載の殻付きエビの処理方法。
【請求項５】
頭部及び殻付きのエビの頭部及び殻を除去する、請求項１〜４のいずれか１項に記載の方法。
【請求項６】
請求項１〜５のいずれか１項に記載の処理方法によってエビの殻を除去する、エビの殻の除去方法。
【発明の詳細な説明】
【技術分野】
【０００１】
本発明は、エビ、特に小型エビの殻を除去する方法に関する。
【背景技術】
【０００２】
鹿児島湾において、ナミクダヒゲエビが小型底曳網漁により漁獲されているが、ジンケンエビ（Ｐｌｅｓｉｏｎｉｋａ  ｓｅｍｉｌａｅｖｉｓ）も多量に混獲されている。このジンケンエビのサイズは小型（体長約７５ｍｍ）である為、殻の除去に手間が掛かり、その上、安価であるという理由から、漁獲されたジンケンエビの大部分は利用されずに廃棄されているのが現状である。通常、冷凍ムキエビの殻むきは、人件費の安い東南アジア諸国で行われているが、ジンケンエビにおいても同様の手法を取り入れると、特産品としての価値が失われる。また、富山県のシラエビのように殻むき機械の導入も考えられるが、既存の機械をそのまま利用することが不可能で、改良のためのコストが莫大に掛かってしまうことで、採算性に疑問が生じる。
【０００３】
殻むき作業の簡略化のためにエビの殻を軟化する方法として、特許文献１には、生又は前処理した甲殻類を減圧下で加熱する減圧加熱工程と、減圧加熱工程後の甲殻類を加圧下で加熱する加圧加熱工程とを備える甲殻類加工品の製造方法が記載されており、前処理として、０．０５〜１．０重量％の有機酸（乳酸、クエン酸、酢酸、酒石酸など）水溶液への浸漬処理による殻の軟化を補助する処理が施されてもよいことが記載されている。しかし、有機酸をｐＨを制御せずに用いることにより、甲殻類の風味が酸味を伴うようになってしまう。
【０００４】
また、特許文献２には、エビの殻を有機酸及びキチン分解酵素により処理することを特徴とするエビの殻の軟化方法が記載されているが、特許文献２の方法では、ＡＴＰ分解酵素を失活させるためにボイル処理を行っている。
【０００５】
しかし、エビをより簡便に処理するために、加熱処理することなく生の状態でエビを処理することや、エビの殻を除去してエビの殻むき作業のさらなる簡略化を図り、ジンケンエビなどの小型エビを加工食品の原料としてより有効に利用することが望まれている。
【先行技術文献】
【特許文献】
【０００６】
【特許文献１】特開２００６−２０５２７号公報
【特許文献２】特開２００８−２４５６２４号公報
【発明の概要】
【発明が解決しようとする課題】
【０００７】
前記のように、簡便な方法でエビの殻を除去することが望まれている。それ故、本発明は、簡便な方法でエビの殻を除去する方法を提供することを目的とする。
【課題を解決するための手段】
【０００８】
本発明者らは、前記課題を解決するための手段を種々検討した結果、有機酸緩衝液又はポリリン酸塩を含む特定のｐＨの有機酸溶液中での水流攪拌を用いると簡便な方法でエビの殻を除去することができることを見出し、本発明を完成した。
【０００９】
すなわち、本発明の要旨は以下の通りである。
（１）殻付きのエビを有機酸緩衝液中に浸漬し、水流攪拌により処理することを特徴とする殻付きエビの処理方法。
（２）殻付きのエビを、ポリリン酸塩を含むｐＨ４．０〜６．０の有機酸溶液中に浸漬し、水流攪拌により処理することを特徴とする殻付きエビの処理方法。
（３）有機酸がクエン酸である（１）又は（２）に記載の殻付きエビの処理方法。
（４）ポリリン酸塩溶液でさらに処理する（１）〜（３）のいずれかに記載の殻付きエビの処理方法。
（５）有機酸緩衝液又は有機酸溶液により処理した後、ポリリン酸塩溶液で処理する（４）に記載の殻付きエビの処理方法。
（６）頭部及び殻付きのエビの頭部及び殻を除去する、（１）〜（５）のいずれかに記載の方法。
（７）（１）〜（６）のいずれかに記載の処理方法によってエビの殻を除去する、エビの殻の除去方法。
【発明の効果】
【００１０】
本発明により、簡便な方法でエビの殻を除去する方法が提供される。
【図面の簡単な説明】
【００１１】
【図１】図１は有機酸緩衝液による処理の前後のエビの形状を示す図である。
【図２】図２は実施例２のＫ値の経時的変化を示す図である。
【図３】図３は実施例の回復率の測定に用いたエビの部位を示す図である。
【図４】図４は実施例４のエビの形状の比較を示す図である。
【図５】図５は実施例４の加熱処理後のエビの形状の比較を示す図である。
【図６】図６は実施例２及び５のエビの形状の比較を示す図である。
【図７】図７は実施例２及び５の加熱処理後のエビの形状の比較を示す図である。
【発明を実施するための形態】
【００１２】
以下、本発明の好ましい実施形態について詳細に説明する。
【００１３】
本発明は、殻付きのエビを有機酸緩衝液中に浸漬し、水流攪拌により処理するエビの殻の除去方法に関する。また、本発明は、殻付きのエビをポリリン酸塩を含むｐＨ４．０〜６．０の有機酸溶液中に浸漬し、水流攪拌により処理するエビの殻の除去方法にも関する。本発明の方法では、有機酸緩衝液又はポリリン酸塩を含むｐＨ４．０〜６．０の有機酸溶液中に浸漬した殻付きのエビを水流撹拌により処理することによって、エビの風味及び食感に影響を与えることなく、エビの殻を除去することができる。
【００１４】
本発明において、エビが頭部及び殻付きである場合には、エビの頭部及び殻を除去することができる。すなわち、本発明は、頭部及び殻付きのエビを有機酸緩衝液中に浸漬し、水流攪拌により処理するエビの頭部及び殻の除去方法にも関し、また、頭部及び殻付きのエビをポリリン酸塩を含むｐＨ４．０〜６．０の有機酸溶液中に浸漬し、水流攪拌により処理するエビの頭部及び殻の除去方法にも関する。
【００１５】
本発明の方法では、加熱処理を行う必要がなくなり、簡便な方法でエビの殻を除去することができる。
【００１６】
本発明に用いられるエビとしては、特に限定されずに、小エビ、例えば、アマエビ（ホッコクアカエビ）、ジンケンエビ、アカシャエビ、サルエビ、アカエビ、キシエビ、トラエビ、シラエビ、ヨシエビ等、及び中型のエビ、例えば、ブラウンエビ等を挙げることができるが、好ましくはジンケンエビ、アカシャエビ及びブラウンエビが用いられる。本発明には、大きいエビを用いることもできる。
【００１７】
本発明に用いられるエビは、殻付きのエビである。エビは、少なくとも殻付きであればよく、頭部が付いたエビを用いてもよいし、予め頭部を除去したエビを用いてもよい。頭部が付いたエビを用いると、頭部を除去する作業を行うことなく、有機酸緩衝液を用いた水流撹拌による処理でエビの頭部及び殻を除去することができる。
【００１８】
本発明に用いられる有機酸緩衝液は、有機酸を含み、外部から酸や塩基を加えてもそのｐＨが大きく変化しない性質（緩衝作用）を有しているものであれば特に限定されないが、ｐＨ４．０〜６．０の緩衝液であることが好ましく、ｐＨ４．５〜５．５の緩衝液であることが特に好ましい。本発明では、有機酸緩衝液を用いることにより、有機酸をｐＨを制御せずに用いた場合と比較して得られるエビの風味が酸味を伴わない点で優れる。
【００１９】
有機酸緩衝液としては、例えば、有機酸及び有機酸塩を含む緩衝液を用いることができる。有機酸としては、例えば、乳酸、酒石酸、リンゴ酸、フマル酸、コハク酸、クエン酸、酢酸等を挙げることができるが、クエン酸が好ましい。有機酸塩としては、上記の有機酸の塩、例えば上記の有機酸のナトリウム塩、カリウム塩、アンモニウム塩等を挙げることができるが、ナトリウム塩が好ましい。本発明に用いられる有機酸緩衝液は、好ましくは、クエン酸及びクエン酸ナトリウムを含む緩衝液（ｐＨ４．５〜５．５）である。有機酸緩衝液は、上記のうちの１種又は２種以上を組み合わせて用いることもできる。
【００２０】
本発明に用いられるポリリン酸塩を含む有機酸溶液は、ｐＨを４．０〜６．０に調整した、有機酸及びポリリン酸塩の溶液である。本発明では、ポリリン酸塩を含むｐＨ４．０〜６．０の有機酸溶液（以下、ポリリン酸塩を含む有機酸溶液とも記載する）を用いることにより、処理によるエビの身の収縮・硬化を抑制することができる。ポリリン酸塩を含む有機酸溶液は、ｐＨ４．５〜５．５であることがより好ましい。有機酸としては、上記の有機酸緩衝液について挙げたものを用いることができるが、クエン酸が好ましい。ポリリン酸塩としては、ポリリン酸ナトリウムが好ましい。本発明に用いられるポリリン酸塩を含む有機酸溶液は、好ましくは、クエン酸及びポリリン酸ナトリウムを含む溶液（ｐＨ４．５〜５．５）である。ポリリン酸塩を含む有機酸溶液は、上記のうちの１種又は２種以上を組み合わせて用いることもできる。
【００２１】
有機酸緩衝液又はポリリン酸塩を含む有機酸溶液の酸濃度は、特に限定されずに、例えば０．０６Ｍ〜０．５０Ｍであり、好ましくは０．１５Ｍ〜０．３０Ｍである。有機酸緩衝液又はポリリン酸塩を含む有機酸溶液の酸濃度がこの範囲であると、エビの風味及び食感に影響を及ぼすことなく、エビの殻を短時間で除去することができる。
【００２２】
エビは、エビの重量に対して、例えば、１〜４倍量、好ましくは２〜３倍量の上記の有機酸緩衝液又はポリリン酸塩を含む有機酸溶液で浸漬処理される。エビの有機酸緩衝液又はポリリン酸塩を含む有機酸溶液による浸漬処理について、処理温度は、例えば、０℃〜１０℃である。処理時間は、例えば３０分〜２４０分であるが、用いるエビや、有機酸緩衝液又はポリリン酸塩を含む有機酸溶液の濃度に応じて適宜選択することができる。例えば、頭部及び殻付きのエビを用いる場合、処理時間は、好ましくは、６０分〜２４０分であり、また、無頭の殻付きのエビを用いる場合、処理時間は、好ましくは、３０分〜１２０分である。
【００２３】
本発明では、有機酸緩衝液又はポリリン酸塩を含む有機酸溶液に浸漬したエビは、水流撹拌により処理される。本発明において、水流撹拌は、水流（水の流れ）による撹拌であれば特に限定されない。水流を生じさせる手段としては、例えば、ポンプ、ジェットノズル、プロペラ等の撹拌翼、電気バケツ及び二槽式洗濯機の洗濯槽等における容器底部の撹拌手段等を挙げることができるが、プロペラ等の撹拌翼を用いた攪拌では、攪拌中に撹拌翼がエビに接触し、物理的損傷を引き起こす恐れがあることから、プロペラ等の撹拌翼を用いずに水流を生じさせることが好ましい。尾の脱離を防ぐために、エビを水流撹拌により処理する際に洗濯用ネット袋等の袋に入れて処理してもよい。
【００２４】
本発明の方法では、エビをポリリン酸塩溶液でさらに処理することができる。エビをポリリン酸塩溶液で処理することによって、有機酸緩衝液又はポリリン酸塩を含む有機酸溶液による処理によりエビの身が収縮・硬化した場合に、エビの身を処理前の形状に回復させることができる。
【００２５】
ポリリン酸塩としては、例えば、ポリリン酸のナトリウム塩、カリウム塩、アンモニウム塩等を挙げることができるが、エビの身の収縮・硬化の回復効果の観点から、好ましくはポリリン酸ナトリウムが用いられる。
【００２６】
エビのポリリン酸塩溶液による処理は、上記のエビの有機酸緩衝液又はポリリン酸塩を含む有機酸溶液による処理の前に行ってもよく、有機酸緩衝液又はポリリン酸塩を含む有機酸溶液による処理の後に行ってもよいが、エビの身の収縮・硬化の回復効果の観点から、好ましくは、有機酸緩衝液又はポリリン酸塩を含む有機酸溶液による処理の後に行う。
【００２７】
上記の処理に用いるポリリン酸塩溶液は、例えば、０．０５〜５．０％（Ｗ／Ｖ）の濃度である。処理温度は、例えば、０℃〜１０℃であり、処理時間は、例えば３０分〜９０分である。エビのポリリン酸塩溶液による処理は、例えば、エビをポリリン酸塩溶液に浸漬させることによって行う。
【実施例】
【００２８】
以下、実施例を用いて本発明をさらに具体的に説明する。但し、本発明の技術的範囲はこれら実施例に限定されるものではない。
【００２９】
（実施例１）
電気バケツ（ナショナル製Ｎ−ＢＫ２）に、頭部及び殻付きのアカシャエビ２ｋｇ、並びにエビの重量に対して２．３倍量の０．１０Ｍクエン酸−クエン酸Ｎａ緩衝液（ｐＨ５．０）４．６Ｌを入れ、電気バケツを冷蔵庫に入れて５℃で１８０分水流撹拌を行った。処理時間１８０分でアカシャエビの頭部及び殻が部分的に除去されていた。完全に除去されなかった頭部及び殻については、手作業により除去することが可能である。
【００３０】
（実施例２）
０．１０Ｍクエン酸−クエン酸Ｎａ緩衝液（ｐＨ５．０）を０．２１Ｍクエン酸−クエン酸Ｎａ緩衝液（ｐＨ５．０）に代えて、処理時間を１８０分から１２０分に変えた以外は実施例１と同様にした。処理時間１２０分でアカシャエビの頭部及び殻が完全に除去されていたが、図１に示されるように、クエン酸−クエン酸Ｎａ緩衝液による処理後には、処理前と比較してエビの身が収縮していた。
【００３１】
（生鮮度の経時的変化）
実施例２において、生鮮度を示す指標であるＫ値の経時的変化を調べた。実施例２において、クエン酸−クエン酸Ｎａ緩衝液による処理開始後０分、３０分、６０分、９０分、１２０分、１８０分におけるＫ値を測定した。Ｋ値は、低いほど生鮮度が高い。Ｋ値の測定は、福田らの方法（福田裕、永峰文洋「高速液体クロマトグラフィーによる魚介類の鮮度指標「Ｋ値」の測定」、Ｓｈｏｄｅｘ  Ｔｅｃｈｎｉｃａｌ  Ｂｕｌｌｅｔｉｎ，３，昭和電工（株）、１−５）に従って、核酸関連化合物を抽出し、求めた各核酸関連化合物の定量値から、下式を用いて算出した。
【００３２】
【数１】
0006607632.tif 000002
【００３３】
ＨＰＬＣの条件は下記の通りとした：
カラム：Ｓｈｏｄｅｘ  Ａｓａｈｉｐａｋ  ＧＳ−３２０ＨＱ
溶離液：０．２Ｍリン酸二水素ナトリウム
流量：１．０ｍｌ／ｍｉｎ
検出波長：２６０ｎｍ
カラム温度：３０℃
サンプル注入量：１０μｌ
ＡＴＰ：アデノシントリフォスフェート
ＡＤＰ：アデノシンジフォスフェート
ＡＭＰ：アデノシンモノフォスフェート
ＩＭＰ：イノシン酸
ＨｘＲ：イノシン
Ｈｘ：ヒポキサンチン。
【００３４】
結果を図２に示す。図２より、Ｋ値の上昇は、クエン酸−クエン酸Ｎａ緩衝液による処理開始後３０分間が最も急激で約２％の上昇であったが、その後は緩やかに上昇し、処理開始後３０分後〜１８０分の間で約２％の上昇が認められた。また、ほぼ完全なエビの頭部及び殻の除去が達成される１２０分間の処理では、Ｋ値は５．４％であるため、生鮮度的に問題ないと考えられる。
【００３５】
（実施例３）
電気バケツ（ナショナル製Ｎ−ＢＫ２）に、頭部及び殻付きのアカシャエビ２ｋｇ、並びに２％（Ｗ／Ｖ）のポリリン酸ナトリウム溶液４．６Ｌを入れ、電気バケツを冷蔵庫に入れ、エビをポリリン酸ナトリウム溶液に５℃で６０分間浸漬させた。その後、エビの重量に対して２．３倍量の０．２１Ｍクエン酸−クエン酸Ｎａ緩衝液（ｐＨ５．０）４．６Ｌを電気バケツに入れ、温度５℃で１２０分間水流撹拌を行った。処理時間１２０分でジンケンエビの頭部及び殻が完全に除去されていた。また、実施例２と比較して、エビの身の収縮が抑制されていた。
【００３６】
（実施例４）
電気バケツ（ナショナル製Ｎ−ＢＫ２）に、頭部及び殻付きのアカシャエビ２ｋｇ、並びにエビの重量に対して２．３倍量の０．２１Ｍクエン酸−クエン酸Ｎａ緩衝液（ｐＨ５．０）４．６Ｌを入れ、電気バケツを冷蔵庫に入れて、水流攪拌を５℃で１２０分間行った。その後、電気バケツに、２％（Ｗ／Ｖ）のポリリン酸ナトリウム溶液４．６Ｌを入れ、エビをポリリン酸ナトリウム溶液に５℃で６０分間浸漬させた。
【００３７】
処理前のエビと、クエン酸−クエン酸Ｎａ緩衝液による処理後のエビと、ポリリン酸ナトリウム溶液でさらに処理した後のエビの形状を比較した。回復率（％）は、エビの身（図３（ａ））について、エビの全高（図３（ｂ）の（１））、厚み（図３（ｂ）の（２））、全長（図３（ｃ）の（３））、横幅（図３（ｄ）の（４））、縦幅（図３（ｄ）の（５））を測定し、式：（クエン酸−クエン酸Ｎａ緩衝液処理後−ポリリン酸Ｎａ溶液処理後）／（クエン酸−クエン酸Ｎａ緩衝液処理前−クエン酸−クエン酸Ｎａ緩衝液処理後）×１００によって求めた。結果を表１及び図４に示す。図４において、図４（ａ）はクエン酸−クエン酸Ｎａ緩衝液処理前のエビの形状とクエン酸−クエン酸Ｎａ緩衝液処理後のエビの形状を比較した図であり、図４（ｂ）はクエン酸−クエン酸Ｎａ緩衝液処理前のエビの形状とポリリン酸Ｎａ溶液処理後のエビの形状を比較した図であり、図４（ｃ）はクエン酸−クエン酸Ｎａ緩衝液処理後のエビの形状とポリリン酸Ｎａ溶液処理後のエビの形状を比較した図である。
【００３８】
【表１】
0006607632.tif 000003
【００３９】
表１及び図４より、クエン酸−クエン酸Ｎａ緩衝液で処理し、身が収縮したエビをポリリン酸Ｎａ溶液でさらに処理することによって、クエン酸−クエン酸Ｎａ緩衝液で処理する前の状態にエビの形状が回復したことが示された。
【００４０】
さらに、エビをクエン酸−クエン酸Ｎａ緩衝液により処理した後と、その後さらにポリリン酸ナトリウムにより処理した後に、それぞれ５倍量の沸騰水中で１分間加熱した場合のエビの形状の変化について調べた。増加率（％）は、エビの上記の部分を測定し、式：（クエン酸−クエン酸Ｎａ緩衝液処理後加熱−ポリリン酸Ｎａ溶液処理後加熱）／（クエン酸−クエン酸Ｎａ緩衝液処理後加熱）×１００によって求めた。結果を表２及び図５に示す。図５において、図５（ａ）はクエン酸−クエン酸Ｎａ緩衝液処理前のエビの形状とクエン酸−クエン酸Ｎａ緩衝液処理後に加熱したエビの形状を比較した図であり、図５（ｂ）はクエン酸−クエン酸Ｎａ緩衝液処理前のエビの形状とポリリン酸Ｎａ溶液で処理した後に加熱したエビの形状を比較した図であり、図５（ｃ）はクエン酸−クエン酸Ｎａ緩衝液処理後に加熱したエビの形状とポリリン酸Ｎａ溶液で処理した後に加熱したエビの形状を比較した図である。
【００４１】
【表２】
0006607632.tif 000004
【００４２】
表２及び図５より、クエン酸−クエン酸Ｎａ緩衝液で処理した後にポリリン酸ナトリウム溶液でさらに処理したエビは、クエン酸−クエン酸Ｎａ緩衝液で処理した後に加熱したエビよりも、加熱によるエビの収縮が小さいことが示された。
【００４３】
さらに、クエン酸−クエン酸Ｎａ緩衝液で処理した後のエビと、ポリリン酸ナトリウム溶液でさらに処理した後のエビをそれぞれ５倍量の沸騰水中で１分間加熱処理してエビの保水力（ｃｍ２）を調べた。保水力の測定は加圧濾紙法を用いて行った。０．５ｇの試料の身を、上下３枚の濾紙（Ｎｏ．２，φ９ｃｍ）の間に試料を挟み、２０ｋｇ／ｃｍ２の加圧を１分間行った。保水力の指標として濾紙に浸透した水分の面積を用い、その測定にはプラニメーターを使用した。クエン酸−クエン酸Ｎａ緩衝液で処理した後に加熱したエビの保水力は３３．６ｃｍ２であり、ポリリン酸ナトリウム溶液でさらに処理した後に加熱したエビの保水力は５５．６ｃｍ２であった。クエン酸−クエン酸Ｎａ緩衝液による処理及び加熱処理により減少したエビの保水力が、ポリリン酸ナトリウム溶液でさらに処理することによって回復することが示された。
【００４４】
また、クエン酸−クエン酸Ｎａ緩衝液で処理した後と、ポリリン酸ナトリウム溶液でさらに処理した後のエビを重量に対して５倍量の沸騰水中で1分間加熱し、その前後の弾性率及び粘性率を算出し、弾性率／粘性率の比を計算し、変化率を計算した。弾性率及び粘性率は以下の方法で測定した。
【００４５】
弾性率および粘性率は、レオナー（山電（ＲＥ−３３０５））を用いた応力緩和試験から得た応力および緩和時間から算出した。応力緩和試験の条件として、プランジャーには、直径３ｃｍの円盤状のものを使用し、テーブルスピードを５ｍｍ／ｓ、緩和時間を５分間とした。また、試料の身を縦１ｃｍ、横０．５ｃｍ、高さ０．５ｃｍの直方体に成形した。応力緩和試験における応力は、測定の際にレオナーから出力される電圧をＡＤ変換ボードを介してＰＣに５０ｍｓ間隔で取り込み、その電圧を感度電圧（１０００ｍｖ／ｇ）に用いて荷重に変換し、荷重から下式を用いて求めた。
【００４６】
応力（ｄｙｎ／ｃｍ２）＝荷重（ｇ）×重力加速度（９８０ｃｍ／ｓ２）／プランジャーと試料との接触面積（０．５ｃｍ２）
【００４７】
結果を表３に示す。
【表３】
0006607632.tif 000005
【００４８】
表３より、ポリリン酸ナトリウム溶液で処理することによって、加熱による弾力性に対する影響が抑制されたことが示された。
【００４９】
（実施例５）
クエン酸−クエン酸Ｎａ緩衝液処理後にポリリン酸ナトリウム溶液で処理することは手間が掛かるため、エビの頭部及び殻を除去するために使用するクエン酸ナトリウムの代わりにポリリン酸ナトリウムを用いた。すなわち、０．２１Ｍクエン酸−クエン酸Ｎａ緩衝液（ｐＨ５．０）に代えて、０．１９Ｍクエン酸−ポリリン酸Ｎａ溶液（ｐＨ５．０）を用いた以外は実施例２と同様にした。
【００５０】
実施例２の有機酸緩衝液及び実施例５のポリリン酸Ｎａを含む有機酸溶液で処理した後のエビの身の収縮率及び増加率を調べた。エビの身の収縮率及び増加率は、エビの上記の部分を測定し、式：（有機酸緩衝液又は有機酸溶液処理後−有機酸緩衝液又は有機酸溶液処理前）／有機酸緩衝液又は有機酸溶液処理前×１００によって求めた。結果を表４及び図６に示す。図６において、図６（ａ）はクエン酸−クエン酸Ｎａ緩衝液による処理前後のエビの形状を比較した図であり、図６（ｂ）はクエン酸−ポリリン酸Ｎａ溶液（ｐＨ５．０）による処理前後のエビの形状を比較した図である。
【００５１】
【表４】
0006607632.tif 000006
【００５２】
表４及び図６より、クエン酸−ポリリン酸Ｎａ溶液は、クエン酸−クエン酸Ｎａ緩衝液と比較して、エビの身の収縮を抑制することができることが示された。
【００５３】
実施例２のクエン酸−クエン酸Ｎａ緩衝液及び実施例５のクエン酸−ポリリン酸Ｎａ溶液による処理後のエビを、５倍量の沸騰水中で１分間加熱処理した場合の収縮率及び収縮抑制率を調べた。結果を表５及び図７に示す。図７はクエン酸−クエン酸Ｎａ緩衝液による処理後に加熱したエビの形状と、クエン酸−ポリリン酸Ｎａ溶液による処理後に加熱したエビの形状とを比較した図である。
【００５４】
【表５】
0006607632.tif 000007
【００５５】
表５及び図７より、クエン酸−ポリリン酸Ｎａ溶液（ｐＨ５．０）は、クエン酸−クエン酸Ｎａ緩衝液（ｐＨ５．０）と比較して、加熱によるエビの身の収縮を抑制することができることが示された。
【００５６】
実施例２のクエン酸−クエン酸Ｎａ緩衝液及び実施例５のクエン酸−ポリリン酸Ｎａ溶液による処理前後のエビについて、弾性率及び粘性率を測定し、弾性率／粘性率の比を計算し、変化率を計算した。結果を表６に示す。
【００５７】
【表６】
0006607632.tif 000008
【００５８】
表６より、クエン酸−ポリリン酸Ｎａ溶液（ｐＨ５．０）は、クエン酸−クエン酸Ｎａ緩衝液（ｐＨ５．０）と比較して、処理前後の弾力性の変化を抑制することができることが示された。
【００５９】
実施例２のクエン酸−クエン酸Ｎａ緩衝液及び実施例５のクエン酸−ポリリン酸Ｎａ溶液で処理した後のエビを、５倍量の沸騰水中で１分間加熱処理した後の保水力を測定した。実施例２のエビの保水力は２７．９ｃｍ２であり、実施例５のエビの保水力は４２．０ｃｍ２であった。クエン酸−ポリリン酸Ｎａ溶液は、クエン酸−クエン酸Ｎａ緩衝液と比較して、エビの保水力を向上させることができることが示された。
【００６０】
（実施例６）
バケツ洗濯機（アルミス製  ＡＫ−Ｍ６０）に、無頭の殻付きのブラウンエビ（バングラディッシュ産）１ｋｇ、及び５℃の冷蔵庫で予め冷却した０．１３１Ｍクエン酸−０．０７９Ｍポリリン酸Ｎａ溶液（ｐＨ５．０）４Ｌを入れて、水流攪拌を３０分間又は４５分間行った。
【００６１】
処理時間３０分間で約８割のブラウンエビの殻が除去されていた。完全に除去されなかったブラウンエビの殻は、手作業により除去した。処理時間４５分間で全てのブラウンエビの殻が除去されていた。
【００６２】
殻を除去したブラウンエビを機械により腹部を開いた後、調味液に一晩浸漬後、味及び食感の比較を行なったところ、処理時間３０分間及び処理時間４５分間で差異は認められず、いずれの場合にも酸味を有さず、良好な風味及び食感を有していた。
【００６３】
（実施例７）
無頭の殻付きブラウンエビ（バングラディッシュ産）１ｋｇを洗濯用ネット袋に詰めて、実施例６と同様に４５分間処理を行なったところ、約７割のブラウンエビの殻が除去されていた。完全に除去されなかったブラウンエビの殻は、手作業により除去した。
【００６４】
殻を除去したブラウンエビを機械により腹部を開いた後、調味液に一晩浸漬後、味及び食感の評価を行なったところ、酸味を有さず、良好な風味及び食感を有していた。
【図１】
0006607632.tif 000009
【図２】
0006607632.tif 000010
【図３】
0006607632.tif 000011
【図４】
0006607632.tif 000012
【図５】
0006607632.tif 000013
【図６】
0006607632.tif 000014
【図７】
0006607632.tif 000015